【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
クロック信号を出力するクロック源と、
前記クロック源が出力した前記クロック信号を第１周波数又は前記第１周波数より小さい第２周波数で出力する周波数可変回路と、
前記周波数可変回路から出力されたクロック信号が入力される第１デバイスと、
前記周波数可変回路を介さずに前記クロック源から出力されたクロック信号が入力される第２デバイスと、
前記第１デバイスと前記第２デバイスとの間のデータ転送を行うインターフェースと、を備え、
前記インターフェースは、
同期化回路を有し、
前記周波数可変回路が前記第２周波数のクロック信号を出力する場合には、前記同期化回路を介してデータ転送を行い、
前記周波数可変回路が前記第１周波数のクロック信号を出力する場合には、前記同期化回路を介さずにデータ転送を行う、
ことを特徴とする半導体集積回路。
【請求項２】
前記周波数可変回路は、前記クロック源から入力された前記クロック信号のトグルを間引く間引き回路である、ことを特徴とする請求項１に記載の半導体集積回路。
【請求項３】
前記周波数可変回路は、
所定の指示に従って、前記クロック源から入力された前記クロック信号を前記第２周波数で出力し、
他の所定の指示に従って、前記クロック源から入力された前記クロック信号を前記第１周波数で出力する、
ことを特徴とする請求項１又は２に記載の半導体集積回路。
【請求項４】
前記第１デバイスは、ＣＰＵである、ことを特徴とする請求項１乃至３の何れか１項に記載の半導体集積回路。
【請求項５】
前記第２デバイスは、メモリへのデータの書き込み又は前記メモリからデータの読み出しを制御するメモリコントローラである、ことを特徴とする請求項１乃至３の何れか１項に記載の半導体集積回路。
【請求項６】
前記クロック源から出力されたクロック信号の周波数を分周する第１分周回路と、
前記周波数可変回路から出力されたクロック信号の周波数を分周する第２分周回路と、をさらに備え、
前記第１分周回路から出力されたクロック信号は、前記第２デバイスに入力され、
前記第２分周回路から出力されたクロック信号は、前記第１デバイスに入力される、
ことを特徴とする請求項１乃至５の何れか１項に記載の半導体集積回路。
【請求項７】
請求項３に記載の半導体集積回路を備え、
通常モードと該通常モードよりも消費電力が低い省電力モードとで動作可能であり、
前記通常モードから前記省電力モードに移行する際に、前記所定の指示が出力され、前記省電力モードから前記通常モードに移行する際に、前記他の所定の指示が出力される、
ことを特徴とする装置。
【請求項８】
前記装置は、スキャナ及び前記スキャナで読み取った画像データに対して画像処理を行うスキャナ画像処理手段を備えた装置である、ことを特徴とする請求項７に記載の装置。
【請求項９】
前記装置は、プリンタ及びプリンタに出力される画像データに対して画像処理を行うプリンタ画像処理手段を備えた装置である、ことを特徴とする請求項７に記載の装置。
【請求項１０】
半導体集積回路におけるクロックの制御方法であって、
周波数可変回路によって、クロック源が出力したクロック信号を第１周波数又は前記第１周波数より小さい第２周波数で出力するステップと、
同期化回路を有するインターフェースによって、前記周波数可変回路から出力されたクロック信号が入力される第１デバイスと、前記周波数可変回路を介さずに前記クロック源から出力されたクロック信号が入力される第２デバイスとの間のデータ転送を行うステップであって、
前記周波数可変回路から前記第２周波数のクロック信号が出力された場合には、前記同期化回路を介してデータ転送を行い、
前記周波数可変回路から前記第１周波数のクロック信号が出力された場合には、前記同期化回路を介さずにデータ転送を行う、ステップと、
を含むことを特徴とするクロックの制御方法。
【請求項１１】
クロック信号を出力するクロック源と、
前前記クロック源から入力された前記クロック信号を第１周波数又は前記第１周波数より小さい第２周波数で出力する周波数可変回路と、
前記周波数可変回路から出力されたクロック信号が入力される第１デバイスと、
前記周波数可変回路を介さずに前記クロック源から出力されたクロック信号が入力される第２デバイスと、
前記第１デバイスと前記第２デバイスとの間のデータ転送を行うインターフェースと、を備え、
前記インターフェースは、
同期化回路を有し、
前記周波数可変回路が出力するクロック信号の周波数に応じて、前記同期化回路を介したデータ転送、又は、前記同期化回路を介さないデータ転送を行う、
ことを特徴とする半導体集積回路。
【請求項１２】
前記周波数可変回路は、前記クロック源から入力された前記クロック信号のトグルを間引く間引き回路である、ことを特徴とする請求項１１に記載の半導体集積回路。
【請求項１３】
前記周波数可変回路は、
所定の指示に従って、前記クロック源から入力された前記クロック信号を前記第２周波数で出力し、
他の所定の指示に従って、前記クロック源から入力された前記クロック信号を前記第１周波数で出力する、
ことを特徴とする請求項１１又は１２に記載の半導体集積回路。
【請求項１４】
前記第１デバイスは、ＣＰＵである、ことを特徴とする請求項１１乃至１３の何れか１項に記載の半導体集積回路。
【請求項１５】
前記第２デバイスは、メモリへのデータの書き込み又は前記メモリからデータの読み出しを制御するメモリコントローラである、ことを特徴とする請求項１１乃至１３の何れか１項に記載の半導体集積回路。
【請求項１６】
前記クロック源から出力されたクロック信号の周波数を分周する第１分周回路と、
前記周波数可変回路から出力されたクロック信号の周波数を分周する第２分周回路と、をさらに備え、
前記第１分周回路から出力されたクロック信号は、前記第２デバイスに入力され、
前記第２分周回路から出力されたクロック信号は、前記第１デバイスに入力される、ことを特徴とする請求項１１乃至１５の何れか１項に記載の半導体集積回路。
【請求項１７】
請求項１３に記載の半導体集積回路を備え、
通常モードと該通常モードよりも消費電力が低い省電力モードとで動作可能であり、
前記通常モードから前記省電力モードに移行する際に、前記所定の指示が出力され、前記省電力モードから前記通常モードに移行する際に、前記他の所定の指示が出力される、ことを特徴とする装置。
【請求項１８】
前記装置は、スキャナ及び前記スキャナで読み取った画像データに対して画像処理を行うスキャナ画像処理手段を備えた装置である、ことを特徴とする請求項１７に記載の装置。
【請求項１９】
前記装置は、プリンタ及びプリンタに出力される画像データに対して画像処理を行うプリンタ画像処理手段を備えた装置である、ことを特徴とする請求項１７に記載の装置。
【請求項２０】
半導体集積回路におけるクロックの制御方法であって、
周波数可変回路によって、クロック源が出力したクロック信号を第１周波数又は前記第１周波数より小さい第２周波数で出力するステップと、
同期化回路を有するインターフェースによって、第１デバイスと第２デバイスとの間のデータ転送を行うステップであって、
前記第１デバイスは、前記周波数可変回路から出力されたクロック信号が入力されるデバイスであり、
前記第２デバイスは、前記周波数可変回路を介さずに前記クロック源から出力されたクロック信号が入力されるデバイスである、ステップと、
を含み、
前記データ転送を行うステップでは、前記周波数可変回路から出力されたクロック信号の周波数に応じて、前記同期化回路を介したデータ転送を行うか、前記同期化回路を介さないデータ転送を行うかを決定する、
ことを特徴とするクロックの制御方法。
【手続補正２】
【補正対象書類名】明細書
【補正対象項目名】０００７
【補正方法】変更
【補正の内容】
【０００７】
本発明に係る半導体集積回路は、クロック信号を出力するクロック源と、前記クロック源が出力した前記クロック信号を第１周波数又は前記第１周波数より小さい第２周波数で出力する周波数可変回路と、前記周波数可変回路から出力されたクロック信号が入力される第１デバイスと、前記周波数可変回路を介さずに前記クロック源から出力されたクロック信号が入力される第２デバイスと、前記第１デバイスと前記第２デバイスとの間のデータ転送を行うインターフェースと、を備え、前記インターフェースは、同期化回路を有し、前記周波数可変回路が前記第２周波数のクロック信号を出力する場合には、前記同期化回路を介してデータ転送を行い、前記周波数可変回路が前記第１周波数のクロック信号を出力する場合には、前記同期化回路を介さずにデータ転送を行う、ことを特徴とする。